(57)【要約】【課題】  利用明細書からクレジットカードの利用場所が他人に知られることを防止する。【解決手段】  店舗側端末装置３が、店舗における課金情報を管理者側サーバ装置４に送信し、管理者側サーバ装置４が、店舗における課金情報をクレジットカード会社側サーバ装置５に送信し、クレジットカード会社側サーバ装置５は、管理者側サーバ装置４から送信された課金情報に従って利用明細書をユーザに送付する。これにより、利用明細書からクレジットカードの利用場所が他人に知られることを防止できる。【選択図】  図１
2006119795.tif 000002
【特許請求の範囲】
【請求項１】
クレジットカードを保有するユーザが携帯する通信端末装置と、
前記クレジットカードを利用可能な店舗側に設けられた店舗側端末装置と、
前記ユーザの情報を記録保持する顧客データベースを有する管理者側サーバ装置と、
前記クレジットカードの管理会社側に設けられたクレジットカード会社側サーバ装置とを備え、
前記店舗側端末装置は、前記通信端末装置からクレジットカードの利用要求を受信するのに応じて、課金情報を前記管理者側サーバ装置に送信し、
前記管理者側サーバ装置は、前記店舗側端末装置から課金情報を受信するのに応じて、当該課金情報を前記クレジットカード会社側サーバ装置に転送し、
前記クレジットカード会社側サーバ装置は、前記管理者側サーバ装置から送信された課金情報に従って利用明細書を作成し、当該利用明細書をユーザに送付すること
を特徴とする電子決済システム。
【請求項２】
請求項１に記載の電子決済システムであって、
前記管理者側サーバ装置は、前記店舗側端末装置から課金情報を受信するのに応じて、顧客データベースを参照してユーザを認証し、認証された場合のみ、課金情報を前記クレジットカード会社側サーバ装置に転送することを特徴とする電子決済システム。
【発明の詳細な説明】
【技術分野】
【０００１】
本発明は、クレジットカードを利用した電子決済システムに関する。
【背景技術】
【０００２】
従来までのクレジットカードを利用した決済システムでは、店舗においてユーザがクレジットカードを利用すると、利用金額や利用店舗が記載された利用明細書がクレジットカード会社からユーザに送付され、ユーザは利用明細書に従ってクレジットカード会社に対して利用金額を支払っていた。
【０００３】
【特許文献１】特開平７−１７１２４０号公報
【発明の開示】
【発明が解決しようとする課題】
【０００４】
しかしながら、上述の通り、従来までの決済システムは、クレジットカードの利用金額や利用場所が記載された利用明細書をユーザに送付する構成となっているために、クレジットカードの利用場所を他人に知られたくない場合であるのにも係わらず、利用明細書が送付されることによってクレジットカードの利用場所が他人に知られてしまうことがある。
【０００５】
本発明は、上記課題を解決するためになされたものであり、その目的は、利用明細書からクレジットカードの利用場所が他人に知られることを防止可能な電子決済システムを提供することにある。
【課題を解決するための手段】
【０００６】
本発明に係る電子決済システムは、クレジットカードを保有するユーザが携帯する通信端末装置と、クレジットカードを利用可能な店舗側に設けられた店舗側端末装置と、ユーザの情報を記録保持する顧客データベースを有する管理者側サーバ装置と、クレジットカードの管理会社側に設けられたクレジットカード会社側サーバ装置とを備え、店舗側端末装置は、通信端末装置からクレジットカードの利用要求を受信するのに応じて、課金情報を管理者側サーバ装置に送信し、管理者側サーバ装置は、店舗側端末装置から課金情報を受信するのに応じて、課金情報をクレジットカード会社側サーバ装置に転送し、クレジットカード会社側サーバ装置は、管理者側サーバ装置から送信された課金情報に従って利用明細書を作成し、利用明細書をユーザに送付する。
【発明の効果】
【０００７】
本発明に係る電子決済システムによれば、店舗側端末装置とクレジットカード会社側サーバ装置との間の決済処理は管理者側サーバ装置を介して行われるので、利用明細書からクレジットカードの利用場所が他人に知られることを防止できる。
【発明を実施するための最良の形態】
【０００８】
以下、図面を参照して、本発明の一実施形態となる電子決済システムの構成について説明する。
［電子決済システムの構成］
本発明の一実施形態となる電子決済システム１は、図１に示すように、クレジットカードを所有するユーザが携帯する携帯電話機２と、クレジットカードを利用可能な店舗側に設けられた店舗側端末装置３と、この電子決済システム１を管理する管理者側に設けられた管理者側サーバ装置４と、クレジットカード会社側に設けられたクレジットカード会社側サーバ装置５とを主な構成要素として備え、各構成要素は電気通信回線を介してその他の構成要素と情報通信可能なように構成されている。また、管理者側サーバ装置４は電子決済システム１を利用するユーザの情報を顧客情報として記録保持する顧客データベース（ＤＢ）６を有する。そして、このような構成を有する電子決済システム１は、以下に示す登録処理及びクレジットカード利用処理を実行することにより、クレジットカードの利用場所が他人に知られることを防止する。以下、図２及び図３に示すフローチャートを参照して、登録処理及びクレジットカード利用処理を実行する際の電子決済システム１の動作について説明する。
［登録処理］
始めに、図２に示すフローチャートを参照して、電子決済システム１を利用するユーザの情報を顧客情報として登録する登録処理を実行する際の電子決済システム１の動作について説明する。
【０００９】
図２に示すフローチャートは、ユーザが、所定の登録申込書に電子決済システム１を利用するための必要事項を記入した後、必要事項が記入された登録申込書を店舗側にファックス送信し、店舗側の管理者がユーザ側から受信した登録申込書を電子決済システム１を管理する管理者側にファックス転送し、電子決済システム１を管理する管理者が登録申込書に記入された事項を顧客情報として顧客データベース６に記録することで開始となり、登録処理はステップＳ１の処理に進む。なお、登録申込書に記入する事項には少なくともユーザ固有の識別情報（ＩＤ）及びパスワードが含まれる。
【００１０】
ステップＳ１の処理では、管理者側サーバ装置４が、クレジットカード番号を入力するためのＵＲＬ（Universal Resource Locator）が記載された電子メールをユーザの携帯電話機２に送信する。これにより、このステップＳ１の処理は完了し、登録処理はステップＳ１の処理からステップＳ２の処理に進む。
【００１１】
ステップＳ２の処理では、携帯電話機２が、ユーザのアクセス操作に従って電子メールに記載されたＵＲＬに接続し、ユーザの入力操作に従ってユーザが入力したクレジットカード番号を暗号化して管理者側サーバ装置４に送信する。なお、この処理の際、携帯電話機２は、クレジットカードの有効期限のデータも合わせて送信することが望ましい。これにより、このステップＳ２の処理は完了し、登録処理はステップＳ２の処理からステップＳ３の処理に進む。
【００１２】
ステップＳ３の処理では、管理者側サーバ装置４が、携帯電話機２から送信されたクレジットカード番号のデータを顧客データベース６に記録すると共に、クレジットカード会社側サーバ装置５に対してクレジットカード番号の認証要求を送信する。これにより、このステップＳ３の処理は完了し、登録処理はステップＳ３の処理からステップＳ４の処理に進む。
【００１３】
ステップＳ４の処理では、クレジットカード会社側サーバ装置５が、クレジットカード番号の認証結果と共に、クレジットカード番号が認証された場合には、ユーザの利用可能金額のデータを管理者側サーバ装置４に送信する。なお、クレジットカードの利用可能金額はユーザによって更新可能なように構成してもよい。これにより、このステップＳ４の処理は完了し、登録処理はステップＳ４の処理からステップＳ５の処理に進む。
【００１４】
ステップＳ５の処理では、管理者側サーバ装置４が、クレジットカード番号が認証された場合、利用可能金額のデータを顧客データベース６に記録すると共に、電子決済システム１を利用する際に必要となるアプリケーションプログラムをダウンロードすることを促すダウンロード案内メールをユーザの携帯電話機２に送信する。これにより、このステップＳ５の処理は完了し、登録処理はステップＳ５の処理からステップＳ６の処理に進む。
【００１５】
ステップＳ６の処理では、携帯電話機２が、ダウンロード案内メールを受信し、ダウンロード案内メールに従ってユーザがアプリケーションプログラムのダウンロードを指示するのに応じて、管理者側サーバ装置４からアプリケーションプログラムをダウンロードする。これにより、このステップＳ６の処理は完了し、一連の登録処理は終了する。
［クレジットカード利用処理］
次に、図３に示すフローチャートを参照して、ユーザが店舗においてクレジットカードを利用する際の電子決済システム１の動作について説明する。
【００１６】
図３に示すフローチャートは、ユーザが、クレジットカードを利用可能な店舗に赴き、クレジットカードに課金するためにアプリケーションプログラムを起動することで開始となり、クレジットカード利用処理はステップＳ１１の処理に進む。
【００１７】
ステップＳ１１の処理では、携帯電話機２が、登録処理時に設定したパスワードを入力することをユーザに促し、パスワードが入力されるのに応じてパスワードのデータを店舗側端末装置３に送信する。これにより、このステップＳ１１の処理は完了し、クレジットカード利用処理はステップＳ１１の処理からステップＳ１２の処理に進む。
【００１８】
ステップＳ１２の処理では、店舗側端末装置３が、パスワードと課金金額のデータを管理者側サーバ装置４に送信することにより、ユーザの認証を要求する。これにより、このステップＳ１２の処理は完了し、クレジットカード利用処理はステップＳ１２の処理からステップＳ１３の処理に進む。
【００１９】
ステップＳ１３の処理では、管理者側サーバ装置４が、顧客データベース６を参照して、入力されたパスワードが正しいか否か、及び課金金額が利用可能金額の範囲内であるか否かを判別することにより、ユーザを認証する。そして、ユーザが認証されなかった場合、管理者側サーバ装置４は、ユーザが認証されなかった旨を店舗側端末装置３に通知し、店舗側端末装置３は、ステップＳ１４の処理として、クレジットカードの利用を禁止する。一方、ユーザが認証された場合には、クレジットカード利用処理はステップＳ１５の処理に進む。
【００２０】
ステップＳ１５の処理では、管理者側サーバ装置４が、ユーザが認証された旨を店舗側端末装置３に通知し、店舗側端末装置３は、クレジットカード番号に課金金額を課金する。これにより、ユーザは、店舗側においてサービスの提供を受けることができるようになる。そして、店舗側端末装置３は、課金情報を管理者側サーバ装置４に送信する。これにより、このステップＳ１５の処理は完了し、クレジットカード利用処理はステップＳ１５の処理からステップＳ１６の処理に進む。
【００２１】
ステップＳ１６の処理では、管理者側サーバ装置４が、課金情報を顧客データベース６に記録するのと同時に、課金情報をクレジットカード会社側サーバ装置５に送信する。そして、クレジットカード会社側サーバ装置５は、管理者側サーバ装置４から送信された課金情報に従って、所定期間毎に明細書をユーザに送付し、ユーザは、明細書に従って利用金額を支払う。その後、クレジットカード会社側は、ユーザにより支払われた利用金額を管理者側に支払い、管理者側は、クレジットカード会社側から支払われた利用金額を店舗側に支払う。これにより、このステップＳ１６の処理は完了し、一連のクレジットカード利用処理は終了する。
【００２２】
以上の説明から明らかなように、本発明の一実施形態となる電子決済システム１によれば、店舗側端末装置３が、店舗における課金情報を管理者側サーバ装置４に送信し、管理者側サーバ装置４が、店舗における課金情報をクレジットカード会社側サーバ装置５に送信し、クレジットカード会社側サーバ装置５は、管理者側サーバ装置４から送信された課金情報に従って利用明細書をユーザに送付する。すなわち、本発明の一実施形態となる電子決済システムによれば、店舗側端末装置３とクレジットカード会社側サーバ装置５との間の決済処理は管理者側サーバ装置５を介して行われるので、クレジットカード会社から発行される利用明細書には、管理者側サーバ装置５の管理者のみが常に表示されるからクレジットカードの利用場所、すなわち、前記店舗側端末装置３が利用された店舗名等が他人に知られることを防止できる。
【００２３】
以上、本発明者によってなされた発明を適用した実施の形態について説明したが、この実施の形態による本発明の開示の一部をなす論述及び図面により本発明は限定されることはない。
【図面の簡単な説明】
【００２４】
【図１】本発明の一実施形態となる電子決済システムの全体構成を示す模式図である。
【図２】本発明の一実施形態となる登録処理の流れを示すフローチャート図である。
【図３】本発明の一実施形態となるクレジットカード利用処理の流れを示すフローチャート図である。
【符号の説明】
【００２５】
１：電子決済システム
２：携帯電話機
３：店舗側端末装置
４：管理者側サーバ装置
５：クレジットカード会社側サーバ装置
６：顧客データベース（ＤＢ）
【図１】
2006119795.tif 000003
【図２】
2006119795.tif 000004
【図３】
2006119795.tif 000005